(57)【要約】【課題】簡単な構造により、水封水が消失しにくく、多量の水を使用しなくとも、水封が復旧するまでの時間が短い水封システムと水封の復旧方法を提供する。【解決手段】所定の水量を保持して圧力容器内を水封する水封部７を有する水封システムであって、水封部７は、枝管１０を有し、枝管１０は、水平に設けられた本管１１に接続され、本管１１は、水封部７の水量が所定の高さとなる位置になる高さに設けられ、本管１１に水を補給するための補給手段８が設けられていることを特徴とする水封システム。【選択図】図４
2020045907.tif 000002
【特許請求の範囲】
【請求項１】
所定の水量を保持して圧力容器内を水封する水封部を有する水封システムであって、前記水封部は、枝管を有し、前記枝管は、水平に設けられた本管に接続され、前記本管は、前記水封部が前記所定の水量となる高さに設けられ、前記本管に水を補給するための補給手段が設けられていることを特徴とする水封システム。
【請求項２】
請求項１に記載の水封システムを用いた水封の復旧方法であり、前記水封システムは、本管に接続したタンクを有し、前記タンクに、前記補給手段から、定常的に水を補給し、オーバーフローさせることを特徴とする水封の復旧方法。
【発明の詳細な説明】
【技術分野】
【０００１】
本発明は、水封システムおよび水封の復旧方法に関する。
【背景技術】
【０００２】
石炭を乾留して製鉄用のコークスを製造すること等に用いられるコークス炉は、炭化室と燃焼室が交互に複数設けられている。このコークス炉は、密閉された炭化室に装入された石炭へ、該炭化室に隣接する燃焼室で発生させたガスの熱を、炉壁レンガを介して伝え、石炭をコークスヘと乾留する（たとえば、特許文献１）。
図１に、石炭乾留中のある一つの炭化室１内の様子を模式的に示す。石炭２の乾留時には、石炭中の揮発成分が石炭ガス３として放出され、該石炭ガス３は、図１に矢印で示すように、石炭層の上部から上昇管４を通じてドライメイン（一種のガス溜め）５ヘ送られ、回収し、種々の用途に利用されている。すなわち、各々の炭化室１には、各々上昇管４が設けられ、各々の上昇管４から、ドライメイン５へと送られ、一括して集められる。
【０００３】
上昇管４には、上昇管蓋６が設けられており、この上昇管蓋６は、一日一回程度開閉して、上昇管４の内部に生成している石炭ガス３の状態を確認する。石炭ガス３の生成の状態は、上昇管蓋６を開き（図２（Ｂ））、開いた口に着火してガスの発生を確認するなどして行う。
【０００４】
通常は、上昇管蓋６は閉じられており（図２（Ａ））、それにより上昇管４内部の石炭ガス３を漏えいさせないようにしている。この上昇管蓋６により、上昇管４の内部と外気を隔てるには、図２に示したような、水封部７を設けることが一般に行われている（特許文献２）。図３により、水封する構造について説明する。
通常、水封部７には、常に補給手段８から水封水１４が補給され（水封水の流れ２０で示した。）、水封部７よりオーバーフロー９をさせて、上昇管蓋６が閉じている間は、この水封水により内部のガスが漏えいすることを防止している。このように、水封部７に必要な量の水封水を維持管理するために、常に水を補給して水封部７よりオーバーフロー９をさせることを、オーバーフロー管理という。圧力容器としてのコークス炉の上昇管４は、内部が通常、完全密閉が必要なほど高圧にはならない。さらに、上昇管４は、粉塵、高温環境であり、頻繁に上昇管蓋６が開け閉めされるため、Ｏリング等で密閉してしまうとメンテナンスが困難である。そのため、上昇管４の内外のガスの遮断は水封が好ましいため、水封が採用されている。
【先行技術文献】
【特許文献】
【０００５】
【特許文献１】特開２００２−２９４２４２号公報
【特許文献２】特開２００３−６４３６９号公報
【発明の概要】
【発明が解決しようとする課題】
【０００６】
しかしながら、コークス炉の炭化室１において、突発的に石炭ガス３の出入バランスが崩れ、上昇管４の内部の圧力が急激に上昇することがある。もともと、水封による密閉は、低圧ガスの漏えいを防止するためのものであるため、突発的、短時間とはいえ内圧が上がり過ぎると、ガスの圧力により水封水が押し出されて消失する。水封水が消失すると、内部のガスが漏えいする状態となってしまう。
【０００７】
この突発的な内部の圧力上昇は、別途設置の圧力放散設備により直ちに定常圧力に降下するため、一般に、長時間続くことはなく、すぐに通常の内圧に戻る。ただ、通常の内圧に戻ったとしても、水封水の消失により一度破れた水封は、すぐには復旧するわけにはいかない。
【０００８】
上記のように水封水が消失しても、長時間が経過すれば、水封部７に、補給手段８から常に補給されている水により十分な水封水がたまることにより水封が復旧する。しかしながら、常にオーバーフロー９をさせて水を流している都合上、この水封水の補給は、単位時間当たりあまり多くの水を流していないので、復旧には時間がかかる。いつ起こるかわからない突発的で、短時間の内部の圧力の上昇に備えて、水封水の補給量を常に多量にすることは、通常時の通水量が過大となり水の確保、排水処理に問題がある。
【０００９】
また、水封部７の水封水が消失することを防ぐために、水封水の水深を深くして水封水の自重を増加させることも考えられるが、上昇管蓋６の開閉の構造上、２００ｍｍ以上の水深とするなど、水封水の水深をあまり深くすることが難しい。
【００１０】
以上をまとめると、次のようなことになる。
１．上昇管４内圧上昇時の水封水消失の対策として、ガスの漏えい防止のため速やかに水封を復旧する必要がある。
２．従来の方法では、水封水消失時は、水封復旧までに時間がかかりその間ガスの漏えいを止められないため、ガスの漏えいによる安全・環境リスクを抱えていた。
３．ガスが漏えいするリスクを低減できるよう早期に復旧させるためには、定常補給水量を増加させたり、定常補給水量を増加させると通常時の通水量が過大となり水の確保、排水処理のコストが大きくなる。
４．ガスの漏えいを防止するためには、水封の水深を深くしなければならないが、水深を深くすると、水封部７の構造設計に制約が加わる。
【００１１】
以上の問題をかんがみて、本発明は、簡単な構造により、深い水封の水深を適用しなくとも、水封水が消失しにくく、水封が復旧するまでの時間が短い水封システムと水封の復旧方法を提供することを目的とする。
【課題を解決するための手段】
【００１２】
上記課題を解決するため、本発明者は、上昇管４内圧（容器内圧）の圧力上昇降下後に速やかに水封水を供給するシステムとして、上昇管４内の圧力上昇による水封水の消失が起こった際も圧力降下後に速やかに水封水本管から水封水を供給する水封復旧システムを発明した。
すなわち、上記の本発明の課題を解決するための要旨は以下のとおりである。
（１）所定の水量を保持して圧力容器内を水封する水封部を有する水封システムであって、前記水封部は、枝管を有し、前記枝管は、水平に設けられた本管に接続され、前記本管は、前記水封部が前記所定の水量となる高さに設けられ、前記本管に水を補給するための補給手段が設けられていることを特徴とする水封システム。
（２）（１）に記載の水封システムを用いた水封の復旧方法であり、前記水封システムは、本管に接続したタンクを有し、前記タンクに、前記補給手段から、定常的に水を補給し、オーバーフローさせることを特徴とする水封の復旧方法。
【発明の効果】
【００１３】
本発明によれば、従来に比べ、水封水の量を低減でき、容器内圧降下後速やかに水封が復旧可能である。また、容器圧力をスイッチにするため圧力降下直後の最適なタイミングでの給水が可能である。さらに、対象の水封部７が増加しても本管から枝管を複数出すことで対応可能である。
【図面の簡単な説明】
【００１４】
【図１】炭化室１からの石炭ガス３の流れを説明するための図である。
【図２】一般的な上昇管４の構造を示した図である。（Ａ）上昇管蓋６が閉じられている状態を示した図。（Ｂ）上昇管蓋６を開いた状態を示した図。
【図３】従来の水封システムを説明する図である。
【図４】本発明の水封システムを説明する図である。（Ａ）通常の状態。（Ｂ）圧力容器内のガス圧が急激に上昇して水封水が水封部７から消失した状態。（Ｃ）水封が復旧していく状態。
【図５】各水封部７に設けた各々の枝管を一つの本管に接続した本発明の態様を示した図である。
【発明を実施するための形態】
【００１５】
本発明の実施の形態について、上昇管４の水封部７を例として、図４を参照して詳細に説明する。図４（Ａ）は、通常の状態、図４（Ｂ）は、圧力容器内（上昇管４内）のガス圧が急激に上昇して水封水が水封部７から消失した状態、図４（Ｃ）は、水封が復旧していく状態を示している。
【００１６】
図４において、４は上昇管、６は上昇管蓋、７は上昇管４の水封部、８は水封水１４の補給手段、１０は枝管、１１は本管、１２はタンクを示している。本発明は、水封部７と補給手段８の間に、水封水供給用の枝管１０と本管１１を設けたことを特徴とする。図４において、枝管１０の長さは実際より短く描いている。
【００１７】
枝管１０は、水封部７に一端が直接接続され、他端が、本管１１に接続されている。図４に示した例においては、枝管１０が動圧により本管まで水封水が押し出されない十分な長さを有しているため、内圧上昇による水封水の押し出しを、枝管１０（細管）による圧力損失で補うことで水封水が通じる配管内の水を保持し、圧力降下後速やかに水封が復旧する。
【００１８】
一方、図４に示した例において、本管１１は、枝管１０が十分に長いため、本管１１内には押し出されて消失した水封水の補給に必要な水が保持できる。また、本管１１は、水封部７の水封のための水量が、所定の水量となる高さに設けられているため、一旦、上昇管４内の急激な内圧の上昇により水封水が消失しても（図４（Ｂ））、水封水の自重により、水封水が本管１１より枝管１０を通じて補給されるので（図４（Ｃ））、速やかに所定の位置まで水封を復旧することができる。
この「水封部７の水封のための水量が、所定の水量となる高さ」とするための本管１１の高さは、水封水の所定の高さと、本管１１の内径内の水の高さが一致する高さである。本管１１内に、十分な水がたまり、その本管１１内の水の高さが、水封水の所定の高さとなるようにすればよい。
なお、本管１１の内径は、一度の給水に必要な水が保持化可能な径を選定する。この径は、水封部７に必要な水の量によって適宜決定することができる。たとえば、水封部の内径ｄ２００〜３００ｍｍ、水封部の外径Ｄ３３０〜３４０ｍｍ、水封部の深さｈ１００〜１５０ｍｍ、水封部の幅Ｗ５０〜１５０ｍｍの円形の水封部７に適用する場合、水封部７の一つあたり、本管１１の内容積は、６００００００〜３６００００００ｍｍ3が好ましい。
【００１９】
本管１１は一端を、水封水を貯めるタンク１２に接続し、このタンク１２に水を常に補給手段８から水封水を供給し、オーバーフロー管理で水封水を貯めた本管１１内の水切れを防ぐことが好ましい。オーバーフロー用のタンク１２を設けることで、水封部７にてオーバーフロー９でオーバーフロー量を管理するよりも、水封水管理が容易になる。
また、図４に示した例では、本管１１から、水の自重により枝管１０を通じて水封部７に水が補給されている。しかしながら、これに代えて、別の態様として、本管１１の水位を測定する水位計と水位計の値に基づいて水を供給できる補給手段８を設けてもよい。この場合、水封部７の水封水の管理は、オーバーフロー管理でなくともよい。
【００２０】
さらに、上昇管４に本発明の水封システムを適用する場合、図５に示したように、複数の水封部７から延びた複数の枝管１０を、一つの本管１１に接続することが好ましい。これにより、どこの上昇管４の水封部７において、水封水の消失により水封が破れても、速やかに、水封水の補給を行うことできるため、水封の復旧も速やかである。１箇所の上昇管４の水封部７で水封水が消失した場合、本管１１は１炉団の全長に延びているので、本管１１の全長に保持された水がすべて補給源となる。
【００２１】
以上説明したように、本発明の水封システムと水封の復旧方法は、コークス炉の上昇管４のような圧力容器の水封部に好適に使用できる。
本発明によれば、低圧ガスの漏えい防止の水封水が内圧の局所的かつ一時的な上昇により消失した際に、速やかに水封水を復旧しガスの漏えいを最小限にとどめることができる。
また、オーバーフロー９の水量を増加させる必要もなく、水封部７の水深を深くする必要もないので、少ない水封水で水封できるため機械設計も容易であり、オーバーフローされた排水処理も容易である。
【産業上の利用可能性】
【００２２】
本発明によれば、上昇管４に限らず、低圧ガスの圧力容器内の水封の復旧が速やかに、かつ、水の消費を抑えることができるため、さまざまな用途の水封に適用可能である。
【符号の説明】
【００２３】
１………炭化室
２………石炭
３………石炭ガス
４………上昇管
５………ドライメイン
６………上昇管蓋
７………水封部
８………補給手段
９………オーバーフロー
１０……枝管
１１……本管
１２……タンク
ｈ………水封部の深さ
Ｗ………水封部の幅
ｄ………水封部の内径
Ｄ………水封部の外径
２０……水封水の流れ
２１……水封水
【図１】
2020045907.tif 000003
【図２】
2020045907.tif 000004
【図３】
2020045907.tif 000005
【図４】
2020045907.tif 000006
【図５】
2020045907.tif 000007